(57)【特許請求の範囲】
【請求項１】
入力された信号の、パイロット信号に対応する複数のリソースエレメントから対応する第１の逆変調伝送路推定値を算出し、複数の前記第１の逆変調伝送路推定値に基づいて第１の補間伝送路推定値を算出し、複数の前記第１の逆変調伝送路推定値に基づいて、入力された前記信号のペイロード信号に対応する複数の前記リソースエレメントにおける第２の補間伝送路推定値を算出する伝送路推定部と、
それぞれの前記第１の逆変調伝送路推定値と対応する前記第１の補間伝送路推定値との差に基づいて、雑音電力を推定する雑音推定部と、
前記雑音電力と、前記信号の前記ペイロード信号に対応する少なくとも１つの前記リソースエレメントと、前記第２の補間伝送路推定値とに基づいて、ＭＭＳＥ規範の等化処理を行うＭＭＳＥ等化部とを備える、
伝送路等化処理装置。
【請求項２】
請求項１に記載の伝送路等化処理装置であり、
前記雑音推定部は、それぞれの前記第１の逆変調伝送路推定値と対応する前記第１の補間伝送路推定値との差を平均することによって、前記雑音電力を推定する、
伝送路等化処理装置。
【請求項３】
請求項１または２に記載の伝送路等化処理装置であり、
前記第１の逆変調伝送路推定値と理想的な伝送路値との差を熱雑音電力とし、
前記第１の補間伝送路推定値と理想的な前記伝送路値との差を伝送路推定誤差電力とする場合、
前記雑音電力は、前記熱雑音電力と前記伝送路推定誤差電力との和である、
伝送路等化処理装置。
【請求項４】
請求項１から３のうちのいずれか１つに記載の伝送路等化処理装置であり、
前記信号は、遅延送信ダイバーシチを適用してシングルキャリアブロック伝送方式で伝送される、
伝送路等化処理装置。
【請求項５】
請求項１から４のうちのいずれか１つに記載の伝送路等化処理装置であり、
前記信号が入力される複数のアンテナと、
前記アンテナごとに電力値を計算する電力計算部とをさらに備え、
前記伝送路推定部は、前記第１の逆変調伝送路推定値、前記第１の補間伝送路推定値および前記第２の補間伝送路推定値を、前記アンテナごとに算出し、
前記雑音推定部は、それぞれの前記第１の逆変調伝送路推定値と対応する前記第１の補間伝送路推定値との差を前記アンテナごとに平均し、さらに、対応する前記電力値を用いて重み付け平均化することによって、複数の前記アンテナに対応する前記雑音電力を推定する、
伝送路等化処理装置。
【請求項６】
入力された信号の、パイロット信号に対応する複数のリソースエレメントから対応する第１の逆変調伝送路推定値を算出し、複数の前記第１の逆変調伝送路推定値に基づいて第１の補間伝送路推定値を算出し、複数の前記第１の逆変調伝送路推定値に基づいて、入力された前記信号のペイロード信号に対応する複数の前記リソースエレメントにおける第２の補間伝送路推定値を算出し、
それぞれの前記第１の逆変調伝送路推定値と対応する前記第１の補間伝送路推定値との差に基づいて、雑音電力を推定し、
前記雑音電力と、前記信号の前記ペイロード信号に対応する少なくとも１つの前記リソースエレメントと、前記第２の補間伝送路推定値とに基づいて、ＭＭＳＥ規範の等化処理を行う、
伝送路等化処理方法。
【請求項７】
請求項６に記載の伝送路等化処理方法であり、
前記雑音電力を推定することは、それぞれの前記第１の逆変調伝送路推定値と対応する前記第１の補間伝送路推定値との差を平均することによって、前記雑音電力を推定することである、
伝送路等化処理方法。
【請求項８】
請求項６または７に記載の伝送路等化処理方法であり、
前記第１の逆変調伝送路推定値と理想的な伝送路値との差を熱雑音電力とし、
前記第１の補間伝送路推定値と理想的な前記伝送路値との差を伝送路推定誤差電力とする場合、
前記雑音電力は、前記熱雑音電力と前記伝送路推定誤差電力との和である、
伝送路等化処理方法。
【請求項９】
請求項６から８のうちのいずれか１つに記載の伝送路等化処理方法であり、
前記信号は、遅延送信ダイバーシチを適用してシングルキャリアブロック伝送方式で伝送される、
伝送路等化処理方法。
【請求項１０】
請求項６から９のうちのいずれか１つに記載の伝送路等化処理方法であり、
前記信号が入力される複数のアンテナごとに電力値を計算し、
前記第１の逆変調伝送路推定値、前記第１の補間伝送路推定値および前記第２の補間伝送路推定値を算出することは、前記第１の逆変調伝送路推定値、前記第１の補間伝送路推定値および前記第２の補間伝送路推定値を、前記アンテナごとに算出することであり、
前記雑音電力を推定することは、それぞれの前記第１の逆変調伝送路推定値と対応する前記第１の補間伝送路推定値との差を前記アンテナごとに平均し、さらに、対応する前記電力値を用いて重み付け平均化することによって、複数の前記アンテナに対応する前記雑音電力を推定することである、
伝送路等化処理方法。
【発明の詳細な説明】
【技術分野】
【０００１】
本願明細書に開示される技術は、伝送路等化処理装置、および、伝送路等化処理方法に関するものである。
【背景技術】
【０００２】
無線通信を行う受信装置において、伝送路の歪みを補償する技術の１つとして最小平均二乗誤差（ｍｉｎｉｍｕｍ  ｍｅａｎ  ｓｑｕａｒｅ  ｅｒｒｏｒ、すなわち、ＭＭＳＥ）等化が知られている。【０００３】
ＭＭＳＥ等化においては、雑音を抑制するために雑音レベルの推定を行う必要があり、従来の推定手法としては以下の方法がある。【０００４】
まず、周波数領域の受信信号から既知の参照信号を含む受信信号成分を取り出し、別途生成された参照信号との乗算を行う。【０００５】
そして出力サンプルの両端に仮想的なサブキャリア成分を付加した後で、当該信号を時間領域の信号に変換する。【０００６】
帯域内全体に渡って良好なチャネル推定精度を得るためには、出力サンプルの両端を滑らかに拡大する必要がある。これは、チャネル推定精度を向上するために必要な処理である。【０００７】
このようにして得られた時間領域の信号のうちチャネル応答窓外のサンプルから、雑音レベルを推定する（たとえば、特許文献１を参照）。
【先行技術文献】
【特許文献】
【０００８】
【特許文献１】特許第５３５３３０４号公報
【発明の概要】
【発明が解決しようとする課題】
【０００９】
従来の技術においては、時間領域において信号が出力されていない箇所の電力を測定することによって、雑音レベル（主に熱雑音電力）を推定している。【００１０】
しかしながら、熱雑音電力よりも十分に大きい電力で信号を受信する場合、雑音レベルのうち、熱雑音電力以外の誤差電力（たとえば、伝送路推定誤差電力）が熱雑音電力と比較して支配的となる。【００１１】
そのため、上記のような場合に従来の技術で推定された雑音レベルをＭＭＳＥ等化に用いると、推定された雑音レベルと、実際の、熱雑音電力以外の誤差電力を含む雑音レベルとの間の不整合が生じるため、雑音強調を抑えきれない場合がある。そうすると、伝送路等化処理の精度が劣化するという問題があった。【００１２】
本願明細書に開示される技術は、以上に記載されたような問題を鑑みてなされたものであり、熱雑音電力よりも十分に大きい電力で信号を受信する場合であっても、伝送路等化処理の精度の劣化を抑制するための技術である。
【課題を解決するための手段】
【００１３】
本願明細書に開示される技術の第１の態様は、入力された信号の、パイロット信号に対応する複数のリソースエレメントから対応する第１の逆変調伝送路推定値を算出し、複数の前記第１の逆変調伝送路推定値に基づいて第１の補間伝送路推定値を算出し、複数の前記第１の逆変調伝送路推定値に基づいて、入力された前記信号のペイロード信号に対応する複数の前記リソースエレメントにおける第２の補間伝送路推定値を算出する伝送路推定部と、それぞれの前記第１の逆変調伝送路推定値と対応する前記第１の補間伝送路推定値との差に基づいて、雑音電力を推定する雑音推定部と、前記雑音電力と、前記信号の前記ペイロード信号に対応する少なくとも１つの前記リソースエレメントと、前記第２の補間伝送路推定値とに基づいて、ＭＭＳＥ規範の等化処理を行うＭＭＳＥ等化部とを備える。【００１４】
本願明細書に開示される技術の第２の態様は、入力された信号の、パイロット信号に対応する複数のリソースエレメントから対応する第１の逆変調伝送路推定値を算出し、複数の前記第１の逆変調伝送路推定値に基づいて第１の補間伝送路推定値を算出し、複数の前記第１の逆変調伝送路推定値に基づいて、入力された前記信号のペイロード信号に対応する複数の前記リソースエレメントにおける第２の補間伝送路推定値を算出し、それぞれの前記第１の逆変調伝送路推定値と対応する前記第１の補間伝送路推定値との差に基づいて、雑音電力を推定し、前記雑音電力と、前記信号の前記ペイロード信号に対応する少なくとも１つの前記リソースエレメントと、前記第２の補間伝送路推定値とに基づいて、ＭＭＳＥ規範の等化処理を行う。
【発明の効果】
【００１５】
本願明細書に開示される技術の第１の態様は、入力された信号の、パイロット信号に対応する複数のリソースエレメントから対応する第１の逆変調伝送路推定値を算出し、複数の前記第１の逆変調伝送路推定値に基づいて第１の補間伝送路推定値を算出し、複数の前記第１の逆変調伝送路推定値に基づいて、入力された前記信号のペイロード信号に対応する複数の前記リソースエレメントにおける第２の補間伝送路推定値を算出する伝送路推定部と、それぞれの前記第１の逆変調伝送路推定値と対応する前記第１の補間伝送路推定値との差に基づいて、雑音電力を推定する雑音推定部と、前記雑音電力と、前記信号の前記ペイロード信号に対応する少なくとも１つの前記リソースエレメントと、前記第２の補間伝送路推定値とに基づいて、ＭＭＳＥ規範の等化処理を行うＭＭＳＥ等化部とを備える。このような構成によれば、熱雑音電力と伝送路推定誤差電力との和に相当する雑音電力に基づいて等化処理を行うことによって、熱雑音電力よりも十分に大きい電力で信号を受信する場合であっても（すなわち、入力される信号の電力の大小に関わらずに）、伝送路等化処理の精度の劣化を抑制することができる。【００１６】
本願明細書に開示される技術の第２の態様は、入力された信号の、パイロット信号に対応する複数のリソースエレメントから対応する第１の逆変調伝送路推定値を算出し、複数の前記第１の逆変調伝送路推定値に基づいて第１の補間伝送路推定値を算出し、複数の前記第１の逆変調伝送路推定値に基づいて、入力された前記信号のペイロード信号に対応する複数の前記リソースエレメントにおける第２の補間伝送路推定値を算出し、それぞれの前記第１の逆変調伝送路推定値と対応する前記第１の補間伝送路推定値との差に基づいて、雑音電力を推定し、前記雑音電力と、前記信号の前記ペイロード信号に対応する少なくとも１つの前記リソースエレメントと、前記第２の補間伝送路推定値とに基づいて、ＭＭＳＥ規範の等化処理を行う。このような構成によれば、熱雑音電力と伝送路推定誤差電力との和に相当する雑音電力に基づいて等化処理を行うことによって、熱雑音電力よりも十分に大きい電力で信号を受信する場合であっても、伝送路等化処理の精度の劣化を抑制することができる。【００１７】
また、本願明細書に開示される技術に関連する目的と、特徴と、局面と、利点とは、以下に示される詳細な説明と添付図面とによって、さらに明白となる。
【図面の簡単な説明】
【００１８】
【図１】実施の形態に関する、伝送路等化処理装置を搭載する受信機を含む通信システムの構成の例を示す図である。
【図２】実施の形態に関する、伝送路等化処理装置を搭載する受信機の構成の例を示す図である。
【図３】伝送路等化処理装置としての伝送路等化部における構成の例を詳細に示す図である。
【図４】雑音推定部の動作の概要を示す図である。
【図５】伝送路等化処理装置としての伝送路等化部における構成の例を詳細に示す図である。
【発明を実施するための形態】
【００１９】
以下、添付される図面を参照しながら実施の形態について説明する。以下の実施の形態では、技術の説明のために詳細な特徴なども示されるが、それらは例示であり、実施の形態が実施可能となるためにそれらすべてが必ずしも必須の特徴ではない。
【００２０】
なお、図面は概略的に示されるものであり、説明の便宜のため、適宜、構成の省略、または、構成の簡略化が図面においてなされるものである。また、異なる図面にそれぞれ示される構成などの大きさおよび位置の相互関係は、必ずしも正確に記載されるものではなく、適宜変更され得るものである。また、断面図ではない平面図などの図面においても、実施の形態の内容を理解することを容易にするために、ハッチングが付される場合がある。
【００２１】
また、以下に示される説明では、同様の構成要素には同じ符号を付して図示し、それらの名称と機能とについても同様のものとする。したがって、それらについての詳細な説明を、重複を避けるために省略する場合がある。
【００２２】
また、以下に記載される説明において、ある構成要素を「備える」、「含む」または「有する」などと記載される場合、特に断らない限りは、他の構成要素の存在を除外する排他的な表現ではない。
【００２３】
また、以下に記載される説明において、「第１の」または「第２の」などの序数が用いられる場合があっても、これらの用語は、実施の形態の内容を理解することを容易にするために便宜上用いられるものであり、これらの序数によって生じ得る順序などに限定されるものではない。
【００２４】
＜第１の実施の形態＞
以下、本実施の形態に関する伝送路等化処理装置、および、伝送路等化処理方法について説明する。
【００２５】
＜通信システムの構成について＞
図１は、本実施の形態に関する伝送路等化処理装置を搭載する受信機を含む通信システムの構成の例を示す図である。
【００２６】
図１に例が示されるように、通信システム１００は、多重化部１０１と、送信機１０２と、受信機１０３と、多重化部１０４とを備える。
【００２７】
多重化部１０１は、たとえば、回路構造であり、各種装置などから入力される信号を多重化する。そして、多重化部１０１は、多重化された信号を送信機１０２へ出力する。
【００２８】
送信機１０２は、たとえば、回路構造であり、入力される多重化後の信号に対して、誤り訂正符号化およびシングルキャリアブロック伝送による変調処理を行う。そして、送信機１０２は、遅延送信ダイバーシチを適用して、送信機１０２のアンテナ１０２Ａおよびアンテナ１０２Ｂから変調された無線信号をシングルキャリアブロック伝送方式で出力する。
【００２９】
受信機１０３は、たとえば、回路構造であり、受信機１０３のアンテナ１０３Ａおよびアンテナ１０３Ｂに入力される変調された無線信号に対して、ＭＭＳＥ規範による等化処理および復調処理を実施する。その後、受信機１０３は、等化処理および復調処理された信号に対して誤り訂正復号を行い、復号された信号を多重化部１０４へ出力する。
【００３０】
多重化部１０４は、たとえば、回路構造であり、受信機１０３から入力される信号を分離して、各種装置へ出力する。
【００３１】
図２は、本実施の形態に関する伝送路等化処理装置を搭載する受信機１０３の構成の例を示す図である。
【００３２】
直交復調部２０１は、キャリア周波数のパスバンド信号（すなわち、受信機１０３のアンテナ１０３Ａおよびアンテナ１０３Ｂに入力される、変調された無線信号）を、Ｉ相とＱ相とを有するベースバンド信号へと変換する。
【００３３】
同期部２０２は、入力されるＩ相とＱ相とを有するベースバンド信号に対して周波数およびタイミングの同期をとる。そして、同期部２０２は、同期後の時間領域のベースバンド信号をＦＦＴ部２０３へ出力する。
【００３４】
ＦＦＴ部２０３は、同期部２０２から入力される時間領域のベースバンド信号に対してフーリエ変換処理を実施する。そして、ＦＦＴ部２０３は、ベースバンド信号を周波数領域の信号へと変換する。
【００３５】
伝送路等化処理装置としての伝送路等化部２０４は、ＦＦＴ部２０３から入力される伝送路歪みを含む信号に対して伝送路等化処理を行う。そして、伝送路等化部２０４は、伝送路等化後の信号をＩＤＦＴ部２０５へ出力する。
【００３６】
ＩＤＦＴ部２０５は、伝送路等化後の信号のうちパイロット信号以外のペイロード信号に該当するサブキャリアを抽出する。そして、ＩＤＦＴ部２０５は、逆フーリエ変換の実施することによって当該信号を時間領域の信号へと再度変換する。その後、ＩＤＦＴ部２０５は、当該信号をデマッピング部２０６へ出力する。
【００３７】
デマッピング部２０６は、ＩＤＦＴ部２０５から入力される信号から対数尤度比（ｌｏｇ−ｌｉｋｅｌｉｈｏｏｄ  ｒａｔｉｏ、すなわち、ＬＬＲ)を算出する。そして、デマッピング部２０６は、算出されたＬＬＲをＬＬＲ信号として、復号部２０７へ出力する。
【００３８】
復号部２０７は、入力されるＬＬＲ信号に基づいてビット系列へと信号の復号を行う。そして、復号部２０７は、復号された信号を多重化部１０４へ出力する。
【００３９】
次に、本実施の形態に関する伝送路等化処理装置の動作について、図３を参照しつつ以下に説明する。なお、図３は、伝送路等化処理装置としての伝送路等化部２０４における構成の例を詳細に示す図である。
【００４０】
まず、ＦＦＴ部２０３から、パイロット信号およびペイロード信号が、周波数領域のサブキャリアおよび時間領域のシンボルで定義されるサンプル（以降、リソースエレメントと呼ぶ）上に混在している状態で、信号が選択出力部３０１へ入力される。
【００４１】
選択出力部３０１は、パイロット信号に対応するリソースエレメントの信号については伝送路推定部３０２へ、ペイロード信号に対応するリソースエレメントの信号については伝送路推定部３０２およびＭＭＳＥ等化部３０４へ出力する。
【００４２】
伝送路推定部３０２は、入力されたパイロット信号に対応するリソースエレメントの信号に対して、パイロット信号の逆数を乗算する。そうすることによって、伝送路推定部３０２は、そのパイロット信号に対応するリソースエレメントにおける逆変調伝送路推定値Ｘ１を算出する。
【００４３】
さらに、伝送路推定部３０２は、複数のパイロット信号に対応するリソースエレメントにおける逆変調伝送路推定値Ｘ１を用いて２次元フィルターをかけることで、パイロット信号に対応するリソースエレメントにおける補間伝送路推定値Ｙ１を算出する。
【００４４】
また、伝送路推定部３０２は、ペイロード信号に対応するリソースエレメントについてもパイロット信号と同様に、逆変調伝送路推定値Ｘ１を用いて２次元フィルターをかけることでペイロード信号に対応するリソースエレメントにおける補間伝送路推定値Ｙ２を算出する。
【００４５】
伝送路推定部３０２は、上記で求められた、パイロット信号に対応するリソースエレメントにおける逆変調伝送路推定値Ｘ１、および、パイロット信号に対応するリソースエレメントにおける補間伝送路推定値Ｙ１については、雑音推定部３０３へと出力する。
【００４６】
また、伝送路推定部３０２は、ペイロード信号に対応するリソースエレメントにおける補間伝送路推定値Ｙ２については、ＭＭＳＥ等化部３０４へと出力する。
【００４７】
雑音推定部３０３は、入力されるそれぞれのパイロット信号に対応するリソースエレメントにおける逆変調伝送路推定値Ｘ１と、対応する補間伝送路推定値Ｙ１との差をとり、その差に対応する電力値（誤差電力）の平均をＭＭＳＥ等化処理に用いる雑音電力としてＭＭＳＥ等化部３０４へ出力する。なお、雑音電力は、逆変調伝送路推定値Ｘ１と、対応する補間伝送路推定値Ｙ１との差に対応する電力値（誤差電力）に基づく値であればよく、上記のように、電力値（誤差電力）の平均に限定されるものではない。
【００４８】
図４は、雑音推定部３０３の動作の概要を示す図である。図４に例が示されるように、雑音推定部３０３は、入力されるそれぞれのパイロット信号に対応するリソースエレメント（図４において斜線が付されているリソースエレメント）における逆変調伝送路推定値Ｘ１（図４における実線矢印）と、パイロット信号に対応するリソースエレメント（図４において斜線が付されているリソースエレメント）における補間伝送路推定値Ｙ１（図４における点線矢印）との差をとり、その差に対応する電力値の平均を算出する。
【００４９】
そして、雑音推定部３０３は、算出された電力値の平均を、ＭＭＳＥ等化処理に用いる雑音電力としてＭＭＳＥ等化部３０４へ出力する。
【００５０】
ＭＭＳＥ等化部３０４は、選択出力部３０１から入力されるペイロード信号に対応するリソースエレメントの信号と、伝送路推定部３０２から入力されるペイロード信号に対応するリソースエレメントにおける補間伝送路推定値Ｙ２と、雑音推定部３０３から入力される雑音電力とを用いて、ＭＭＳＥ規範による等化処理を実施する。
【００５１】
具体的には、以下の式（１）に基づいて、等化処理が実施される。
【００５２】
【数１】
0006869449.tif 000002
【００５３】
ここで、Ｙは、選択出力部３０１から入力されるペイロード信号に対応するリソースエレメントの信号であり、Ｈは、伝送路推定部３０２から入力されるペイロード信号に対応するリソースエレメントにおける補間伝送路推定値であり、σは、雑音推定部３０３から入力される雑音電力であり、Ｘは、等化結果である。
【００５４】
また、逆変調伝送路推定値と理想的な伝送路値との誤差電力は、熱雑音電力を表す。また、補間伝送路推定値は、ペイロード信号の等化に用いられるものであり、補間伝送路推定値と理想的な伝送路値との誤差電力は、ペイロード信号の等化を行う際の伝送路推定誤差電力を表す。
【００５５】
熱雑音電力と伝送路推定誤差電力とには相関はないため、以下の式（２）のように、逆変調伝送路推定値と補間伝送路推定値との誤差電力は、熱雑音電力および伝送路推定誤差電力の和を表す（すなわち、熱雑音電力および伝送路推定誤差電力の双方が含まれる）ことが分かる。
【００５６】
【数２】
0006869449.tif 000003
【００５７】
ここで、ｈｉｎｖは逆変調伝送路推定値を示し、ｈｉｎｔｐは補間伝送路推定値を示し、ｈｉｄｅａｌは理想的な伝送路を示す。
【００５８】
また、Ｅ［｜Δｈｉｎｖ｜２］は熱雑音電力を示し、Ｅ［｜Δｈｉｎｔｐ｜２］は伝送路推定誤差電力を示す。
【００５９】
上記のように、周波数方向（周波数領域）または時間方向（時間領域）へ散らばっているそれぞれのパイロット信号の逆変調伝送路推定値Ｘ１と補間伝送路推定値Ｙ１との誤差電力を求めてそれを平均化することによって（すなわち、雑音推定部３０３によって雑音電力を算出することによって）、熱雑音電力および伝送路推定誤差電力の和を推定することができる。
【００６０】
よって、伝送路推定誤差電力が熱雑音電力と比較して十分に大きくなった場合でも、熱雑音電力および伝送路推定誤差電力の和を雑音電力として推定してＭＭＳＥ等化処理を行っているため、ＭＭＳＥ等化の雑音項の不整合が生じず、伝送路等化処理の精度が劣化しないという効果が得られる。
【００６１】
＜第２の実施の形態＞
本実施の形態に関する伝送路等化処理装置、および、伝送路等化処理方法について説明する。なお、以下の説明においては、以上に記載された実施の形態で説明された構成要素と同様の構成要素については同じ符号を付して図示し、その詳細な説明については適宜省略するものとする。
【００６２】
＜伝送路等化処理装置の構成について＞
第１の実施の形態では、雑音推定部３０３において、すべてのパイロット信号に対応するリソースエレメントにおける、逆変調伝送路推定値Ｘ１と補間伝送路推定値Ｙ１との誤差電力の平均を算出する場合が示されたが、本実施の形態では、まず、受信アンテナ（アンテナ１０３Ａおよびアンテナ１０３Ｂ）ごとに上記の平均を算出し、受信アンテナごとの電力の比に応じて重みづけを行う場合について説明する。
【００６３】
本実施の形態に関する伝送路等化処理装置の動作について、図５を参照しつつ以下に説明する。なお、図５は、伝送路等化処理装置としての伝送路等化部２０４Ａにおける構成の例を詳細に示す図である。
【００６４】
電力計算部３０５は、選択出力部３０１から入力されるそれぞれのパイロット信号に対応するリソースエレメントにおける信号から、電力値を受信アンテナごとに計算する。そして、電力計算部３０５は、算出された電力値を雑音推定部３０３へ出力する。
【００６５】
雑音推定部３０３は、受信アンテナごとのパイロット信号に対応するリソースエレメントにおける逆変調伝送路推定値Ｘ１と補間伝送路推定値Ｙ１との差に対応する電力値（誤差電力）の平均を算出する。その後、電力計算部３０５から入力される受信アンテナごとの電力値を用いて、先ほど算出された受信アンテナごとの誤差電力の平均を重みづけ平均化する。
【００６６】
そして、雑音推定部３０３は、受信アンテナごとに重みづけ平均化された、複数の受信アンテナに対応する誤差電力を、ＭＭＳＥ等化部３０４へ雑音電力として出力する。
【００６７】
本実施の形態によれば、受信アンテナごとの電力に基づいて誤差電力を重みづけ平均化する。そうすることによって、たとえば、遮蔽物などによって電波が入力されない受信アンテナの影響を最小限にすることができる。そのため、雑音電力の推定精度を向上させることができる。
【００６８】
＜以上に記載された実施の形態によって生じる効果について＞
次に、以上に記載された実施の形態によって生じる効果の例を示す。なお、以下の説明においては、以上に記載された実施の形態に例が示された具体的な構成に基づいて当該効果が記載されるが、同様の効果が生じる範囲で、本願明細書に例が示される他の具体的な構成と置き換えられてもよい。
【００６９】
また、当該置き換えは、複数の実施の形態に跨ってなされてもよい。すなわち、異なる実施の形態において例が示されたそれぞれの構成が組み合わされて、同様の効果が生じる場合であってもよい。
【００７０】
以上に記載された実施の形態によれば、伝送路等化処理装置は、伝送路推定部３０２と、雑音推定部３０３と、ＭＭＳＥ等化部３０４とを備える。伝送路推定部３０２は、入力された信号の、パイロット信号に対応する複数のリソースエレメントから対応する第１の逆変調伝送路推定値を算出する。ここで、第１の逆変調伝送路推定値は、たとえば、逆変調伝送路推定値Ｘ１などに対応するものである。そして、伝送路推定部３０２は、複数の逆変調伝送路推定値Ｘ１に基づいて、第１の補間伝送路推定値を算出する。ここで、第１の補間伝送路推定値は、たとえば、補間伝送路推定値Ｙ１などに対応するものである。また、伝送路推定部３０２は、複数の逆変調伝送路推定値Ｘ１に基づいて、入力された信号のペイロード信号に対応する複数のリソースエレメントにおける第２の補間伝送路推定値を算出する。ここで、第２の補間伝送路推定値は、たとえば、補間伝送路推定値Ｙ２などに対応するものである。雑音推定部３０３は、それぞれの逆変調伝送路推定値Ｘ１と対応する補間伝送路推定値Ｙ１との差に基づいて（たとえば、平均することによって）、雑音電力を推定する。ＭＭＳＥ等化部３０４は、雑音電力と、信号のペイロード信号に対応する少なくとも１つのリソースエレメントと、補間伝送路推定値Ｙ２とに基づいて、ＭＭＳＥ規範の等化処理を行う。
【００７１】
このような構成によれば、熱雑音電力と伝送路推定誤差電力との和に相当する雑音電力に基づいて等化処理を行うことによって、熱雑音電力よりも十分に大きい電力で信号を受信する場合であっても（すなわち、入力される信号の電力の大小に関わらずに）、伝送路等化処理の精度の劣化を抑制することができる。
【００７２】
なお、上記の構成に本願明細書に例が示された他の構成を適宜追加した場合、すなわち、上記の構成としては言及されなかった本願明細書中の他の構成が適宜追加された場合であっても、同様の効果を生じさせることができる。
【００７３】
また、以上に記載された実施の形態によれば、逆変調伝送路推定値Ｘ１と理想的な伝送路値との差を熱雑音電力とし、補間伝送路推定値Ｙ１と理想的な伝送路値との差を伝送路推定誤差電力とする場合、雑音電力は、熱雑音電力と伝送路推定誤差電力との和である。このような構成によれば、雑音電力が熱雑音電力と伝送路推定誤差電力との和に相当することで、熱雑音電力以外の誤差電力（たとえば、伝送路推定誤差電力）が熱雑音電力と比較して支配的となる場合であっても、実際の雑音レベルとの不整合が生じることを抑制することができる。
【００７４】
また、以上に記載された実施の形態によれば、信号は、遅延送信ダイバーシチを適用してシングルキャリアブロック伝送方式で伝送される。このような構成によれば、熱雑音電力と伝送路推定誤差電力との和に相当する雑音電力に基づいて等化処理を行うことによって、伝送路等化処理の精度の劣化を抑制することができる。
【００７５】
また、以上に記載された実施の形態によれば、伝送路等化処理装置は、信号が入力される複数のアンテナ（アンテナ１０３Ａおよびアンテナ１０３Ｂ）と、アンテナごとに電力値を計算する電力計算部３０５とを備える。そして、伝送路推定部３０２は、逆変調伝送路推定値Ｘ１、補間伝送路推定値Ｙ１および補間伝送路推定値Ｙ２を、アンテナごとに算出する。そして、雑音推定部３０３は、それぞれの逆変調伝送路推定値Ｘ１と対応する補間伝送路推定値Ｙ１との差をアンテナごとに平均する。さらに、雑音推定部３０３は、対応するアンテナの電力値を用いて上記算出された平均を重み付け平均化することによって、複数のアンテナに対応する雑音電力を推定する。このような構成によれば、遮蔽物などによって電波が入力されない受信アンテナの影響を最小限にすることができる。そのため、雑音電力の推定精度を向上させることができる。
【００７６】
以上に記載された実施の形態によれば、伝送路等化処理方法において、入力された信号の、パイロット信号に対応する複数のリソースエレメントから対応する逆変調伝送路推定値Ｘ１を算出する。そして、複数の逆変調伝送路推定値Ｘ１に基づいて補間伝送路推定値Ｙ１を算出する。また、複数の逆変調伝送路推定値Ｘ１に基づいて、入力された信号のペイロード信号に対応する複数のリソースエレメントにおける補間伝送路推定値Ｙ２を算出する。そして、それぞれの逆変調伝送路推定値Ｘ１と対応する補間伝送路推定値Ｙ１との差に基づいて（たとえば、平均することによって）、雑音電力を推定する。そして、雑音電力と、信号のペイロード信号に対応する少なくとも１つのリソースエレメントと、補間伝送路推定値Ｙ２とに基づいて、ＭＭＳＥ規範の等化処理を行う。
【００７７】
このような構成によれば、熱雑音電力と伝送路推定誤差電力との和に相当する雑音電力に基づいて等化処理を行うことによって、熱雑音電力よりも十分に大きい電力で信号を受信する場合であっても、伝送路等化処理の精度の劣化を抑制することができる。
【００７８】
なお、特段の制限がない場合には、それぞれの処理が行われる順序は変更することができる。
【００７９】
なお、上記の構成に本願明細書に例が示された他の構成を適宜追加した場合、すなわち、上記の構成としては言及されなかった本願明細書中の他の構成が適宜追加された場合であっても、同様の効果を生じさせることができる。
【００８０】
＜以上に記載された実施の形態の変形例について＞
以上に記載された実施の形態では、それぞれの構成要素の材質、材料、寸法、形状、相対的配置関係または実施の条件などについても記載する場合があるが、これらはすべての局面においてひとつの例であって、本願明細書に記載されたものに限られることはないものとする。
【００８１】
したがって、例が示されていない無数の変形例、および、均等物が、本願明細書に開示される技術の範囲内において想定される。たとえば、少なくとも１つの構成要素を変形する場合、追加する場合または省略する場合、さらには、少なくとも１つの実施の形態における少なくとも１つの構成要素を抽出し、他の実施の形態における構成要素と組み合わせる場合が含まれるものとする。
【００８２】
また、矛盾が生じない限り、以上に記載された実施の形態において「１つ」備えられるものとして記載された構成要素は、「１つ以上」備えられていてもよいものとする。
【００８３】
さらに、以上に記載された実施の形態におけるそれぞれの構成要素は概念的な単位であって、本願明細書に開示される技術の範囲内には、１つの構成要素が複数の構造物から成る場合と、１つの構成要素がある構造物の一部に対応する場合と、さらには、複数の構成要素が１つの構造物に備えられる場合とを含むものとする。
【００８４】
また、以上に記載された実施の形態におけるそれぞれの構成要素には、同一の機能を発揮する限り、他の構造または形状を有する構造物が含まれるものとする。
【００８５】
また、本願明細書における説明は、本技術に関連するすべての目的のために参照され、いずれも、従来技術であると認めるものではない。
【符号の説明】
【００８６】
１００  通信システム、１０１，１０４  多重化部、１０２  送信機、１０２Ａ，１０２Ｂ，１０３Ａ，１０３Ｂ  アンテナ、１０３  受信機、２０１  直交復調部、２０２  同期部、２０３  ＦＦＴ部、２０４，２０４Ａ  伝送路等化部、２０５  ＩＤＦＴ部、２０６  デマッピング部、２０７  復号部、３０１  選択出力部、３０２  伝送路推定部、３０３  雑音推定部、３０４  ＭＭＳＥ等化部、３０５  電力計算部。
【要約】
伝送路等化処理の精度の劣化を抑制する。伝送路等化処理装置は、第１の逆変調伝送路推定値、第１の補間伝送路推定値、および、第２の補間伝送路推定値を算出する伝送路推定部と、それぞれの第１の逆変調伝送路推定値と対応する第１の補間伝送路推定値との差に基づいて、雑音電力を推定する雑音推定部と、雑音電力と、信号のペイロード信号に対応するリソースエレメントと、第２の補間伝送路推定値とに基づいて、ＭＭＳＥ規範の等化処理を行うＭＭＳＥ等化部とを備える。【図１】
0006869449.tif 000004
【図２】
0006869449.tif 000005
【図３】
0006869449.tif 000006
【図４】
0006869449.tif 000007
【図５】
0006869449.tif 000008